(57)【特許請求の範囲】
【請求項１】
外袋と内袋と一体化した二重構造の果実掛袋を成形するとともに、前記外袋は略長方形のシート体の一端に重ね部を残すようにして前記シート体を２つ折りし、前記重ね部を前記シート体の他端に重ね合わせるようにして折り返し、その重ね部の縦方向及び外袋の下縁部に沿って接着剤を塗布して貼り合わせることによって有底で上縁部のみを開口した袋状とし、かつ、前記重ね部の上部に接着剤を塗布しない余白部を形成するとともに、前記重ね部の接着部を、下部の強接着域と、前記余白部と隣接する上部の弱接着域とで構成し、この弱接着域を前記内袋に内包する果実の生育による膨張圧力によって剥離可能としたことを特徴とする果実掛袋。
【請求項２】
前記余白部と接着部分との構成比率を１：１．５〜１：３としたことを特徴とする請求項１記載の果実掛袋。
【請求項３】
前記接着部における弱接着域と強接着域との構成比率を１：１〜１：５としたことを特徴とする請求項１記載の果実掛袋。
【請求項４】
前記弱接着域が非接着部と点付け接着部とで構成されていることを特徴とする請求項１〜３の何れか１項に記載の果実掛袋。
【請求項５】
前記弱接着域が前記強接着域より接着剤の塗布面積が狭く形成されていることを特徴とする請求項１〜３の何れか１項に記載の果実掛袋。
【発明の詳細な説明】
【技術分野】
【０００１】
本発明は、桃、りんご、プラム等の果実に使用する果実掛袋に関する。
【背景技術】
【０００２】
従来から、果実の生産に際し、果実の病害予防、防虫、生育促進、果実の表面の傷等を防ぐといった種々の目的のため、幼果期に果実に果実掛袋を被せることが行われている。
【０００３】
この種の果実掛袋として、本願出願人は、特許文献１において、所定の光線透過率を有する紙からなる内袋と遮光性を有する外袋とを重ね合せて果実掛袋を構成し、外袋より露出している内袋の正面側及び背面側の開口上縁に果実の軸又は果樹の枝を挿入するための切欠き部を夫々設け、さらに内袋の周面に縦ひだを設けて内袋を伸長可能に設けると共に、外袋が略長方形のシート体の両端部を重ね合わせ、その重ね部の縦方向及び外袋の下縁部に沿って接着剤を塗布して貼り合わせることによって有底で上縁部のみを開口した袋状とし、かつ、前記重ね部の上部に接着剤を塗布しない余白部を形成した果実掛袋を提案している。
【０００４】
【特許文献１】特許第２８２９９４５号公報
【発明の開示】
【発明が解決しようとする課題】
【０００５】
前記果実掛袋は、果実の幼果期において外袋で太陽光線を遮るので後の鮮やかな着色の妨げとなる葉緑素の形成を抑制し、成熟期に向かう段階で外袋を取り除いて（除袋）、透光性を有する内袋のみが果実に掛かった状態で果実の着色を促すものである。ところで、果実掛袋に内包する果実は、幼果期から成熟期に向かうに従って肥大化するが、前記果実掛袋においては、内袋の両側に縦ひだを形成し、かつ、外袋の重ね部の上部に接着剤を塗布しない余白部を形成することによって、果実の肥大化による膨張圧力によって、内袋の縦ひだ及び外袋の余白部が外側に押し広げられて内袋と外袋の開口径が大きくなり、果実を覆う外袋を除袋する際、外袋が果実の外周に添って張った状態とならず外袋の除袋作業が容易であり、かつ、果実の幼果期においては、外袋の糊代となる重ね部も重ね合った状態を維持できるから、太陽光線の入射による果実の着色不良等も一掃することができる。
【０００６】
しかしながら、近年の果実の品種改良や消費者の大玉嗜好などによる栽培方法の変化や年々の天候の違いによって、果実の品種や個体差などによっては果実の縦方向の肥大に伴い余白部の下端（接着部の上端）が果実の最大肥大部分より上方に位置してしまうことがある。このように、余白部の下端が果実の最大肥大部分より上方に位置してしまった場合、果実の生育に伴う膨張圧力が接着部に加わり、余白部には果実の膨張圧力が加わらないことになるため、外袋が果実を包み込むように張った状態で果実に密着し、外袋を外側に広げるための余白部が機能しないことが起こり得る。この場合、外袋の除袋作業に際し、外袋の内縁が果実に沿って張った状態となるため、外袋を効果的に除袋できない。すなわち、特許文献１において余白部を設ける目的としては前述したように、果実の生育に伴う膨張圧力によって、余白部の重ね分を外側に押し広げることによって、片手で外袋を引っ張るだけで外袋を簡単に除袋することであるが、余白部の下端が果実の最大肥大部分より上方に位置してしまった場合には、余白部によって外袋が広がらないため、一方の手で果実を押え、他方の手で外袋の上部を掴んで数回にかけて破り取ることを繰り返すといった極めて効率の悪い作業を強いられる。
【０００７】
このような問題は、余白部の下端が果実の最大肥大部分より上方に位置してしまった場合に起こり得るから、例えば、余白部の下端を下げて余白部の長さを長くすることも考えられるが、このように余白部の下端を下げてしまうと、その分、接着部の長さが短くなり、果実の幼果期において、余白部が捲れたり、余白部が離れるなどして、その隙間から太陽光が入射してしまい、葉緑素が形成されるので収穫期の鮮やかな着色の妨げとなることが懸念される。
【０００８】
本発明は、以上のような問題を解決するためになされたものであって、果実の幼果期において余白部を可及的に短く、果実の成熟期において果実の肥大化に伴って余白部の長さを延長することができる果実掛袋を提供することを目的とする。
【課題を解決するための手段】
【０００９】
上記目的を達成するための請求項１の発明は、外袋と内袋と一体化した二重構造の果実掛袋を成形するとともに、前記外袋は略長方形のシート体の一端に重ね部を残すようにして前記シート体を２つ折りし、前記重ね部を前記シート体の他端に重ね合わせるようにして折り返し、その重ね部の縦方向及び外袋の下縁部に沿って接着剤を塗布して貼り合わせることによって有底で上縁部のみを開口した袋状とし、かつ、前記重ね部の上部に接着剤を塗布しない余白部を形成するとともに、前記重ね部の接着部を、下部の強接着域と、前記余白部と隣接する上部の弱接着域とで構成し、この弱接着域を前記内袋に内包する果実の生育による膨張圧力によって剥離可能としたことを特徴とする。
【００１０】
請求項２の発明は、前記余白部と接着部分との構成比率を１：１．５〜１：３としたことを特徴とする。
【００１１】
請求項３の発明は、前記接着部における弱接着域と強接着域との構成比率を１：１〜１：５としたことを特徴とする。
【００１２】
請求項４の発明は、前記弱接着域が非接着部と点付け接着部とで構成されていることを特徴とする。
【００１３】
請求項５の発明は、前記弱接着域が前記強接着域より接着剤の塗布面積が狭く形成されていることを特徴とする。
【発明の効果】
【００１４】
請求項１の発明に係る果実掛袋は、内袋が果実の幼果を内包できる大きさの袋形状であるので、幼果期に果実に被袋させることによって果実の病害予防、防虫、生育促進、果実の表面の傷等を防ぐといった効果を発揮できる。外袋は、接着剤を塗布しない余白部と、強接着域及び弱接着域を有する。そして、弱接着域は余白部と隣接するように形成されている。これにより、果実が生育して内袋の内部で膨らむと接着剤を塗布しない余白部は果実の生育による膨張圧力によって開くとともに、たとえ外袋に内包する果実の最大肥大部が余白部の下端より下がった位置となった場合であっても、外袋の接着部を強接着域と弱接着域とで構成し、その弱接着域を余白部と隣接させて形成することにより、果実の生育による膨張圧力によって弱接着域が剥離し、その剥離部分が余白部と連続して余白部の領域を延長することができる。これにより、外袋の内縁が果実に沿って張った状態とならず、片手で外袋を引っ張るだけで外袋を簡単に除袋することができる。しかも、果実の幼果期においては、弱接着域によって重ね部が閉じた状態で接着されているから、余白部の捲れや余白部が開いて太陽光が入射することなく、外袋によって果実を確実に遮光することができるから、果実の育成段階において、着色の妨げとなる葉緑素の形成を抑制することができる。
【００１５】
請求項２の発明に係る果実掛袋は、果実掛袋で育成する果実の種類などに応じて余白部と接着部分との構成比率を最適化できる。
【００１６】
請求項３の果実掛袋は、果実掛袋で育成する果実の種類などに応じて接着部分における弱接着域と強接着域との構成比率を最適化できる。
【００１７】
請求項４の果実掛袋は、弱接着域を非接着部と点付け接着部とで構成することにより、果実の生育による膨張圧力によって点付け接着部が剥離して非接着部と余白部とが連続し、余白部の領域が広がって外袋がさらに外側に広がるため、外袋の内縁が果実に沿って張った状態とならず、片手で外袋を引っ張るだけで外袋を簡単に除袋することができる。しかも、果実の幼果期においては、弱接着域によって重ね部が閉じた状態で接着されているから、余白部の捲れや余白部が開いて太陽光が入射することなく、外袋によって果実を確実に遮光することができるから、果実の育成段階において、着色の妨げとなる葉緑素の形成を抑制することができる。
【００１８】
請求項５の果実掛袋は、弱接着域を強接着域より塗布面積が狭く形成することで弱接着域が強接着域より接着力が弱くなる。これにより、果実の生育による膨張圧力によって接着力が弱い弱接着域が剥離し、剥離した部分と余白部と連続し余白部の領域が広がるため、外袋の内縁が果実に沿って張った状態とならず、片手で外袋を引っ張るだけで外袋を簡単に除袋することができる。しかも、果実の幼果期においては、弱接着域によって重ね部が閉じた状態で接着されているから、余白部の捲れや余白部が開いて太陽光が入射することなく、外袋によって果実を確実に遮光することができるから、果実の育成段階において、着色の妨げとなる葉緑素の形成を抑制することができる。
【発明を実施するための最良の形態】
【００１９】
以下、図面を参照しながら本発明の実施例の形態について説明する。
【００２０】
果実掛袋１は内袋２と外袋３とを重ね合せてなり、前記内袋２の上部側は外袋３より上方に露出している。内袋２の上縁中央部には、果実Ａの袋掛けの際、果樹の枝Ｂを挿入するためのＶ字形の切欠き部４が設けられている。また内袋２の両側部をそれぞれＺ状に折り畳んで内袋２の両側部に縦ひだ５を形成するとともに、内袋２の両端部を重ね合わせて糊代面６を形成し、その糊代面６を接着剤で貼り合わせることによって内袋２の上下縁が開口している。このように、内袋２の両側部にＺ状に折り畳んだ縦ひだ５を形成して内袋２の重ね部となる糊代面６を貼り合わせることよって内袋２の開口有効径を外袋３の開口径より実質上大きく形成している。また、内袋２の糊代面６には内袋２を固定するのに用いる細い針金７が封入されている。また、内袋２の下端には、切り裂き線１３ａを介して繋がっている接着片１３が形成されている。
【００２１】
前記外袋３は内袋２より縦幅を短く形成した略長方形のシート体の一端に重ね部１０を残すようにして前記シート体を２つ折りし、前記重ね部１０をシート体の他端に重ね合わせるようにして折り返し、その重ね部１０と外袋３の下縁部８に接着剤を塗布して貼り合わせることより、外袋３は有底で上縁部のみを開口した袋状に製袋される。なお、外袋３の底縁両隅は、接着剤を塗布した下辺接着部８ａを形成しない領域を形成することにより、排水開口部１２を形成し、その排水開口部１２から外袋３内に浸入する雨水を効果的に排出させる。また、外袋３の底縁中央には前記接着片１３が外袋３の表裏紙に挟まれて外袋３を貼り合わせる前記下辺接着部８ａによって接着固定されている。また、外袋３の両端部の重ね部１０の接着部１４は図１に示すように重ね部１０の縦方向の下部に形成され、重ね部１０の上部は接着剤を塗布しない余白部１５を形成する。なお、本実施例では、外袋３の底縁両隅に排水開口部１２を形成することから、重ね部１０の下端部にも接着部１４が無い若干の余白部１２ａを形成しているが、必ずしも重ね部１０の下端部の余白部１２ａを形成する必要はなく、接着部１４は重ね部１０の下端部まで形成してもよい。また、重ね部１０の上部の余白部１５は、果実掛袋１に収納された果実Ａの生育によって、その体積膨張に伴う圧力により重ね部１０の分だけ外側に広がりを持たせる部分である。また、接着部１４は、その下部を剥離しにくい強接着域１４ａと、この強接着域１４ａの上部に位置する弱接着域１４ｂとで構成している。また、強接着域１４ａの上端は、図１に示すように、果実Ａの最大径ａに対応する部位より下方に位置するように形成される。
【００２２】
前記接着部１４は、強接着域１４ａと弱接着域１４ｂとで構成されているが、その強接着域１４ａは接着剤を一定の幅で連続させて塗布した部分であり、弱接着域１４ｂは接着剤を塗布しない非接着部１６と点付け接着部１７とで構成されている。このように強接着域１４ａの上部に非接着部１６と点付け接着部１７から成る弱接着域１４ｂを形成し、かつ、その弱接着域１４ｂを余白部１５と隣接させて形成することにより、連続的に形成された強接着域１４ａに対して点付け接着部１７の面積が極めて小さいことから、強接着域１４ａより弱接着域１４ｂの接着力が弱くなる。このため、果実Ａの生育による膨張圧力が点付け接着部１７に加わると、点付け接着部１７は果実Ａの膨張圧力によって剥れる。このように、果実Ａの膨張圧力によって点付け接着部１７が剥れると、非接着部１６と余白部１５とが連続し、外側に広がる領域も広がる。ところで、強接着域１４ａの上端は果実Ａの最大径ａに対応する部位より下方に位置するように形成するが、果実Ａの最大径ａは、果実Ａの種類や果実Ａを育成する環境などによって異なることから、余白部１５と接着部１４との構成比率、接着部１４における弱接着域１４ｂと強接着域１４ａとの構成比を所定の範囲内で種々設定している。すなわち、余白部１５と接着部１４との構成比率を１：１．５〜１：３とし、また、接着部１４における弱接着域１４ｂと強接着域１４ａとの構成比を１：１〜１：５の範囲内で形成しており、具合的な寸法として、外袋３の縦幅ｗを１０５ｍｍ、接着部１４全体の縦幅ｗ１は５０ｍｍ〜７０ｍｍ、余白部１５の縦幅ｗ２が１７ｍｍ〜３８ｍｍ、弱接着域１４ｂの縦幅ｗ３が８ｍｍ〜３５ｍｍ、強接着域１４ａの縦幅ｗ４が２５ｍｍ〜５８ｍｍとある程度の幅を持たせている。尚、前記内袋２は白色又は淡色のパラフィン紙もしくは耐水、撥水処理を施した紙により形成しており、適度の透光性を備え、一方、前記外袋３は適度の遮光性を備えている。また、外袋３の表面紙及び裏面紙のそれぞれ上部には内袋２と部分的に接着して外袋３と内袋２とを一体化する貼着部３０が切裂き線３１によって外袋３と分離可能に形成されている。
【００２３】
以上のように構成される本発明の果実掛袋１の使用方法について説明する。図３に示すように、果実Ａに果実掛袋１を被せて前記内袋２の切欠き部４に枝Ｂを挿入し、枝Ｂ上で内袋２の開口上縁を集束して針金７で緊縛することによって、袋掛け作業が終了する。このように、果実Ａを果実掛袋１で覆うことにより、雨水による病害の抑止と、糖度上昇及び熟度の進展を促して、収穫期まで内袋２を掛けて果実Ａを病害、害虫、害鳥及び散布農薬の汚染から保護することができる。なお、外袋３内に溜まる雨水は、外袋３の両側下端に設けた排水開口部１２から外部に排水される。
【００２４】
一定期間を経過すると、果実掛袋１内の果実Ａは生育し、肥大するから、それに伴って内袋２は縦ひだ５が展開して径方向に広がる。尚、幼果期から成熟期に至る大半の期間を外袋３で遮光された状態となっている。この際外袋３はその横方向の長さが内袋２に比して短いから、果実Ａの肥大化により育成途中の果実Ａによって内側から押し広げられる。この時、外袋３は、接着部１４が形成された外袋３の下部は、接着状態を保ったままであるが、接着されていない余白部１５は、果実掛袋１に収納された果実Ａの生育による体積膨張に伴う圧力によって外側に広がり、外袋３を構成するシート体の重ね部１０の分だけ重なり合った状態を維持しながら外側に広がるから、太陽光線が入射されることなく押し広げられて径大となる。さらに、果実Ａが育成して肥大化すると、果実Ａの体積膨張に伴う圧力が強接着部１４ａの上部に形成した非接着部１６と点付け接着部１７とから成る弱接着域１４ｂに加わることになり、強接着域１４ａより接着力の弱い弱接着域１４ｂが果実Ａの圧力によって剥れる。これにより、非接着部１６と余白部１５が連続して、外袋３の広がり代が増えることから、外袋３の内縁が果実に沿って張った状態とならず、外袋３を除袋する際、外袋３を下方に引っ張るだけで外袋３と内袋２を部分的に接着する貼着部３０が切裂き線３１から切り離されるとともに接着片１３が切裂き線１３ａから切り離され、果実Ａを内袋２で包んだ状態で外袋３のみを簡単に除袋することができる。こうして、外袋３を除袋することで、果実Ａに着色等を促すことができる。
【００２５】
一方、果実Ａの幼果期から成熟期に至る期間は、点付け接着部１７によって外袋３の重ね部１０が貼り合わされているから、余白部１５は可及的に短く形成することができ、風などの影響で余白部１５が捲れたり、余白部１５が開くなどして外袋３の内側に入射する太陽光線を確実に遮光することが可能となる。
【００２６】
以上のように、外袋３を接着剤で貼り合わせるための重ね部１０の上端部に位置して接着剤が塗布しない余白部１５を形成するとともに、余白部１５に隣接して非接着部１６と点付け接着部１７とで剥離し易い弱接着域１４ｂを形成し、その強接着域１４ａの上端を果実Ａの最大径ａに対応する部位より下方に位置するように形成することにより、果実Ａの生育による膨張圧力によって弱接着域１４ｂの点付け接着部１７が剥離し、非接着部１６と余白部１５とが連続して余白部１５の領域を延長することができる。これにより、外袋３の内縁が果実に沿って張った状態とならず、片手で外袋３を引っ張るだけで外袋３を簡単に除袋することができる。しかも、果実の幼果期においては、弱接着域１４ｂによって重ね部１０が閉じた状態で接着されているから、余白部１５の捲れや余白部１５が開いて太陽光が入射することなく、外袋３によって果実を確実に遮光することができ、果実Ａの育成段階において、着色の妨げとなる葉緑素の形成を抑制することができる。
【００２７】
しかも、余白部１５は重ね部１０に接着剤を設けないことにより形成できるので、簡単に形成することができるとともに、弱接着域１４ｂも強接着域１４ａと接着剤を塗らない非接着部１６を隔てて点付け接着部１７を形成するだけなので簡単に形成することができる。
【００２８】
以上、本発明の実施例について詳述したが、本発明は、前記実施例に限定されるものではなく、本発明の要旨の範囲内で種々の変形実施が可能である。例えば、前記実施例においては、非接着部１６と点付け接着部１７それぞれ一つずつ形成した例を示したが、図５に示す本発明の実施例２のように、弱接着域１４ｂを複数の非接着部１６と点付け接着部１７を交互に配置して構成してもよい。さらに、図６に示す本発明の実施例３のように、例えば、弱接着域１４ｂが強接着域１４ａより細い幅狭部２１によって構成され、弱接着域１４ｂの面積を強接着域１４ａより狭く形成することによって弱接着域１４ｂの接着力を強接着域１４ａより弱める構造であってもよい。また、接着力の異なる接着剤を塗布し、強い接着力の接着剤で強接着域１４ａを形成し、弱い接着力の接着剤で弱接着域１４ｂを形成するようにしてもよく、要は余白部１５と連続する接着部１４の上部に強接着域１４ａより接着力が弱い弱接着域１４ｂを形成して果実Ａの体積膨張に伴う圧力によって弱接着域１４ｂが剥れ易い構造とすればよい。
【図面の簡単な説明】
【００２９】
【図１】本発明の実施例１を示す果実掛袋の正面図である。
【図２】同上、果実掛袋の分解斜視図である。
【図３】同上、果実掛袋を果実に被せた状態を示す斜視図である。
【図４】同上、生育した果実から外袋を除袋する状態を示す斜視図である。
【図５】本発明の実施例２を示す外袋の正面図である。
【図６】本発明の実施例３を示す外袋の正面図である。
【符号の説明】
【００３０】
１    果実掛袋
２    内袋
３    外袋
１０  重ね部
１４  接着部
１４ａ  強接着域
１４ｂ  弱接着域
１５  余白部
１６  非接着部
１７  点付け接着部
２１  幅狭部
【図１】
0005073539.tif 000002
【図２】
0005073539.tif 000003
【図３】
0005073539.tif 000004
【図４】
0005073539.tif 000005
【図５】
0005073539.tif 000006
【図６】
0005073539.tif 000007